Podtech/llm-jp-corpus-v4-ja_patent huggingface dataset:
(57)【要約】      （修正有）【課題】耐久性に優れた構造とすることで、被取付材からの落下を抑制することが可能な建材を提供する。【解決手段】建材である屋根瓦１０は、釘孔１１が形成され、釘孔１１を挿通する釘９によって、被取付材である野地板３に固定される板状のものである。釘孔１１は、釘９を挿通する方向２００に沿って、小径部分１２と大径部分１３とが連続し、小径部分１２と大径部分１３との間に段差１４が設けられる。小径部分１２が破損し易く、小径部分１２の破損により大径部分１３の外側にヒビが発生し難くなるので、屋根瓦１０が割れて落下することを抑制できる。【選択図】図２
0003200330.tif 000002
【実用新案登録請求の範囲】
【請求項１】
釘孔が形成され、前記釘孔を挿通する釘によって被取付材に固定される板状の建材であって、
前記釘孔は、小径部分と大径部分とが連続し、前記小径部分と前記大径部分との間に段差が設けられる
ことを特徴とする建材。
【考案の詳細な説明】
【技術分野】
【０００１】
本考案は、瓦やボード等の建材に関する。
【背景技術】
【０００２】
瓦やボード等の建材に釘孔を形成し、釘孔を挿通する釘によって建材を被取付材に固定する構造が知られている。
【先行技術文献】
【特許文献】
【０００３】
【特許文献１】特開平０４−００７４４５号公報
【特許文献２】実用新案登録第３０２１４６９号公報
【考案の概要】
【考案が解決しようとする課題】
【０００４】
しかし、釘と釘孔とが近接しているため、地震等で建材が被取付材に対して移動しようとすると、釘孔周縁からヒビが発生し、建材が割れて落下するおそれがある。
【０００５】
そこで、本考案は、耐震性に優れた構造とすることで、被取付材からの落下を抑制することが可能な建材の提供を目的とする。
【課題を解決するための手段】
【０００６】
上記目的を達成すべく、本考案の建材は、釘孔が形成され、釘孔を挿通する釘によって被取付材に固定される板状の建材である。釘孔は、小径部分と大径部分とが連続し、小径部分と大径部分との間に段差が設けられる。
【０００７】
上記構成では、小径部分が破損し易く、小径部分の破損により大径部分の外側にヒビが発生し難くなり、割れて落下することを抑制できる。
【考案の効果】
【０００８】
本考案の建材によれば、耐久性に優れた構造とすることで、被取付材からの落下を抑制することが可能となる。
【図面の簡単な説明】
【０００９】
【図１】本考案の実施形態に係る屋根瓦を備える瓦屋根の軒先部を示す断面図である。
【図２】図１の屋根瓦の要部断面図である。
【考案を実施するための形態】
【００１０】
以下に、本考案に係る屋根瓦の一実施形態を、図面に基づいて説明する。図１は本実施形態の屋根瓦を備える瓦屋根の断面図、図２は図１の屋根瓦の要部断面図である。
【００１１】
図１に示すように、瓦屋根（以下、単に屋根と称する）１は、タルキ２上に固定された野地板３と、野地板３上に配置される多数の屋根瓦１０とを備える。野地板３は、木製の合板４と、合板４上に敷設された耐水シート材５とから構成されている。
【００１２】
野地板３の軒端（屋根１の最下部である軒先）の上面には、複数本の鼻桟６が屋根の傾斜方向と略直交して略直線状に並んで配置され、各鼻桟６は、釘（図示省略）によって野地板３に固定されている。また、鼻桟６の下方近傍には、軒樋７が設けられている。
【００１３】
鼻桟６には、屋根１の傾斜方向１００の最下列（軒側先端）の屋根瓦１０の下端部（軒先側）が載せられ、この屋根瓦１０の下端部が鼻桟６に釘８によって固定されている。また、最下列の屋根瓦１０の上端部（棟側）は、野地板３に釘９によって固定されている。この最下列の屋根瓦１０の上端には、屋根１の傾斜方向１００の直ぐ上（最下列から上方に２列目）の屋根瓦１０の下端が重ねられ、この２列目の屋根瓦１０の上端部も、釘９によって野地板３に固定されている。このように、屋根瓦１０は最下列から上方に順次重ねられ、野地板３に固定される。
【００１４】
図２に示すように、板状の建材である屋根瓦１０には、釘孔１１が形成されている。釘孔１１は、釘９を挿通する方向２００に沿って、小径部分１２と大径部分１３とが連続し、小径部分１２と大径部分１３との間に段差１４が設けられる。小径部分１２は、釘９の胴部９ａの径と略同じかそれよりも僅かに小さく、釘９の胴部９ａが挿通可能な径の略真円形状の孔で、屋根瓦１０の厚みｔの３分の１の長さｔ／３を有する。大径部分１３は、釘９の頭部９ｂの径と略同じ径（例えば、７ｍｍ）の略真円形状の孔で、屋根瓦１０の厚みｔの３分の２の長さ２ｔ／３を有する。大径部分１３の径は、釘９の胴部９ａの径の１．５倍以上であることが好適である。屋根瓦１０は、釘孔１１を挿通する釘９によって、被取付材である野地板３に固定される。なお、屋根瓦１０を固定する釘９は、スクリュウ釘であることが好ましい。
【００１５】
以上説明したように、本実施形態では、小径部分１２が破損し易く、小径部分１２の破損により大径部分１３の外側にヒビが発生し難くなり、屋根瓦１０が割れて落下することを抑制できる。
【００１６】
なお、上記実施形態において、板状の建材として、屋根瓦１０の場合を例に説明したが、セメント等の非金属の無機材を焼成等によって固化したものであればよく、壁材や屋根の下地材などに使用するボード等であってもよい。
【００１７】
そして、上記実施形態において、野地板３に固定するための釘９を挿通する釘孔１１の場合を例に説明したが、鼻桟６に固定するための釘８を挿通する釘孔についても、釘孔１１と同様の構造にすることが可能である。
【００１８】
また、上記実施形態において、釘孔１１における小径部分１２の大きさ（挿通する方向２００の長さ）や場所（挿通する方向２００の位置）は限定されるものではない。
【００１９】
以上、本考案者によってなされた考案を適用した実施形態について説明したが、この実施形態による本考案の開示の一部をなす論述及び図面により本考案は限定されることはない。すなわち、この実施形態に基づいて当業者等によりなされる他の実施形態、実施例及び運用技術等は全て本考案の範疇に含まれることは勿論であることを付け加えておく。
【産業上の利用可能性】
【００２０】
本考案は、瓦、ボード材その他の建材に利用することができる。
【符号の説明】
【００２１】
３  野地板（被取付材）
９  釘
１０  屋根瓦（建材）
１１  釘孔
１２  小径部分
１３  大径部分
１４  段差
【図１】
0003200330.tif 000003
【図２】
0003200330.tif 000004
(57)【要約】      （修正有）【課題】丈夫で、洗浄することで繰り返し使えるメダカの卵採りを提供する。【解決手段】芯は直径高さ共に約１〜２ｃｍほどの、円柱形の水に浮く素材で形成され、この芯に幅約１ｃｍ、長さ５ｃｍ程度のリボン状にカットしたナイロン製の織物が、傘状に巻きつけられ、芯の中心部内側にはリボン状のナイロン織物を十字になるように取り付ける。【選択図】図２
0003200390.tif 000002
【実用新案登録請求の範囲】
【請求項１】
［０００１］
構造、組み合わせとして、水に浮く芯となる素材に幅約１ｃｍ、長さ５ｃｍ程度のリボン状にカットしたナイロン製織物を、傘状となるように巻きつけて上部を紐などで固定する。
［０００２］
水面に浮かべた際にナイロン部分は水中に浸り、芯部分が水上に浮くようになる。ナイロン部分は水中にて広がり、卵が付着しやすくなっている。
【請求項２】
［０００３］
中心部内側にはリボン状のナイロン織物を十字になるように取り付ける。これにより落下する卵を受け止めるようになっている。
【考案の詳細な説明】
【考案の概要】
【０００４】  メダカの卵採取に使用するもの。通常メダカの卵はホテイアオイなどの水草の根に産み落とされるが、本考案のものはその水草に代わるものである。水草よりも丈夫で枯れたり腐ったりすることなく長持ちであること、また洗浄することで繰り返し使えるものである。柔軟性がありメダカの体を傷つける心配もなく、実用性に優れたものである。
上から見た状態で半径は５〜６ｃｍ。主な構成物としては、ナイロン製の織物、および１〜２ｃｍ程度の水に浮く素材（例：発泡スチロールｅｔｃ）である。
【図面の簡単な説明】
【０００５】
【図１】本考案を真上から見た図。
【０００６】
【図２】本考案を側面から見た図。
【０００７】
【図３】本考案の内側に付属する、ナイロンを十字に交差させたもの（落下する卵を受け止めるもの）。
【図１】
0003200390.tif 000003
【図２】
0003200390.tif 000004
【図３】
0003200390.tif 000005
【手続補正書】
【提出日】平成27年2月25日(2015.2.25)
【手続補正１】
【補正対象書類名】実用新案登録請求の範囲
【補正対象項目名】全文
【補正方法】変更
【補正の内容】
【実用新案登録請求の範囲】
【請求項１】
構造、組み合わせにおいて、
（１）  芯は直径高さ共に約１〜２ｃｍほどの、円柱形の水に浮く素材であること
（２）  （１）に幅約１ｃｍ、長さ５ｃｍ程度のリボン状にカットしたナイロン製の織物が、傘状に巻きつけられていること
（３）  中心部内側にはリボン状のナイロン織物を十字になるように取り付けられていること
以上の（１）〜（３）の構成からなるメダカの卵採り。
【手続補正書】
【提出日】平成27年5月29日(2015.5.29)
【手続補正１】
【補正対象書類名】実用新案登録請求の範囲
【補正対象項目名】全文
【補正方法】変更
【補正の内容】
【実用新案登録請求の範囲】
【請求項１】
構造、組み合わせにおいて、
（１）  芯は直径高さ共に約１〜２ｃｍほどの、円柱形の水に浮く素材であること
（２）  （１）の芯に幅約１ｃｍ、長さ５ｃｍ程度のリボン状にカットしたナイロン製の        織物が、傘状に巻きつけられていること
（３）  （１）の芯の中心部内側にはリボン状のナイロン織物を十字になるように取り付        けられていること
以上の（１）〜（３）の構成からなるメダカの卵採り。
(57)【要約】 【課題】  本考案は、老人や脚部に障害を有する者にあっては正座することが困難であるため、補助椅子を使わねばならない場合があるところ、複数段に分かれて折り畳みし得るような正座用の補助椅子を提供することを目的とする。 【解決手段】  基板１，１上に設置する下調節板２の一端部に下基点部３を設けるとともにこの下基点部の反対位置の下調節板の他端部に適当間隔をおいて複数の下掛止部４，４を設け、正面×状に枢着６，６した前後側２本の折畳み脚材５，５の一方部は前記下調節板の下基点部に係合し、この折畳み脚材の他方部は前記下調節板の下掛止部の一つに掛止めるようにし、前記２本の折畳み脚材の他方部は座部材下に設置する上調節板８の一端部に上基点部９を設けるとともにこの上基点部の反対位置の下調節板の他端部に適当間隔をおいて複数の上掛止部１０，１０を設けて成るものである。【選択図】    図２
0003200348.tif 000002
【実用新案登録請求の範囲】
【請求項１】
基板上に設置する下調節板の一端部に下基点部を設けるとともに、この下基点部の反対位置の下調節板の他端部に適当間隔をおいて複数の下掛止部を設け、正面×状に枢着した前後側２本の折畳み脚材の一方部は前記下調節板の下基点部に係合し、この折畳み脚材の他方部は前記下調節板の下掛止部の一つに掛止めるようにし、前記２本の折畳み脚材の他方部は座部材下に設置する上調節板の一端部に上基点部を設けるとともにこの上基点部の反対位置の下調節板の他端部に適当間隔をおいて複数の上掛止部を設けて成ることを特徴とする携帯用正座椅子。
【考案の詳細な説明】
【技術分野】
【０００１】
本考案は、携帯用の正座椅子に関するものである。
【背景技術】
【０００２】
老人や脚部に障害を有する者にあっては正座することが困難であるため、補助椅子を使わねばならない場合があるところ、従来、公知文献としては、次のようなものが知られており、これには高さ１２ｃｍの脚部が折り畳まれて高さ６ｃｍ程度になるという説明があるものである。
【先行技術文献】
【特許文献】
【０００３】
【特許文献１】意匠登録第７２３５５０号公報
【考案の概要】
【考案が解決しようとする課題】
【０００４】
しかしながら、この公知文献に係る補助椅子は×状に成る脚部が単純に折り畳まれるだけのもので、複数段に分かれて折り畳みし得るような正座用の補助椅子ではないことに鑑み、本考案はこれを改良した補助椅子を提供することを目的とするものである。
【課題を解決するための手段】
【０００５】
本考案は、基板上に設置する下調節板の一端部に下基点部を設けるとともにこの下基点部の反対位置の下調節板の他端部に適当間隔をおいて複数の下掛止部を設け、正面×状に枢着した前後側２本の折畳み脚材の一方部は前記下調節板の下基点部に係合し、この折畳み脚材の他方部は前記下調節板の下掛止部の一つに掛止めるようにし、前記２本の折畳み脚材の他方部は座部材下に設置する上調節板の一端部に上基点部を設けるとともにこの上基点部の反対位置の下調節板の他端部に適当間隔をおいて複数の上掛止部を設けて成るものである。
【考案の効果】
【０００６】
本考案にあっては、一回定型の高度調整だけではなく、使用者の正座時の希望に合わせた高さ調節を複数段に分けて行うことができるものであり、また長方形の座部材椅子の使用方向は横向きでも縦向きでもよい。
【０００７】
しかも、比較的小型であるから、携帯用の正座椅子となり、常に安定性良く使用することができるのである。
【図面の簡単な説明】
【０００８】
【図１】（Ａ）（Ｂ）（Ｃ）は矢印により作用状態を含む全体の斜視図
【図２】図１（Ｂ）における正断面図
【図３】図１（Ｃ）における正面図
【考案を実施するための形態】
【０００９】
本考案の正座椅子を使用する場所は、一般的には畳敷の和室であるが、使用者はあくまでも正座時の両脚を曲げた時に、その間にはさんで腰掛けた座椅子として使用するものである。
【００１０】
即ち、上方の座部材と下方の基板との間の前後側に介装する×状の折畳み脚材の位置を、それぞれ上下任意の掛止部に係合すれば、そのまま定位置として固定される。
【００１１】
また、不使用時には、折畳み脚材の上下の掛止状態を各掛止部から離脱して、その基点部を支点に偏平状態に折り畳みすればよい。（この作用形態の動きについては、図１（Ａ）（Ｂ）（Ｃ）の矢印を参照されたい。）
【実施例】
【００１２】
１は適当長さの縦巾と横巾から成る基板で、この基板上には下調節板２を設置する。
【００１３】
３は前記下調節板２での一端部に設ける下基点部で、この下基点部から反対位置の下調節板の他端部には、適当間隔をおいて複数の下掛止部４，４を設ける。この下掛止部４は２個以上の複数とする。
【００１４】
５，５は上端部に座部材７を設置した正面×状に枢着６，６して成る前後側２本の折畳み脚材で、この脚材の一方部は前記下調節板２の下基点部３に係合して支点となり、この脚材の他方部は下調節板２の下掛止部４，４の一つに掛け止めるようにする。
【００１５】
８は前記座部材７の底面部に設置する上調節板で、この上調節板の一端部には上基点部９を設け、この上基点部から反対位置の上調節板８の他端部には適当間隔をおいて複数の上掛止部１０，１０を設ける。この上掛止部１０は２個以上の複数とする。
【符号の説明】
【００１６】
１，１                            基板
２                                下調節板
３                                下基点部
４，４                            下掛止部
５，５                            折畳み脚材
６，６                            枢着
７                                座部材
８                                上調節板
９                                上基点部
１０，１０                        上掛止部
【図１】
0003200348.tif 000003
【図２】
0003200348.tif 000004
【図３】
0003200348.tif 000005
(57)【要約】      （修正有）【課題】小型のリップで良好なルアー動作と良好な使用感を両立させるルアーを提供する。【解決手段】リップＢを二枚構造にして重ね合わせ、水流を受けるリップＢの側面に水流を留める溝Ｈを設置する。【選択図】図１
0003200634.tif 000002
【実用新案登録請求の範囲】
【請求項１】
釣り用ルアーでリップと呼ばれる部分において、ルアーの反復運動に水流を活用するルアーに対し、リップの進行方向側面に水流を留める機構を設けリップ側面を水流が通過する際に発生する負圧の渦を活用する形状を有するルアー。
【考案の詳細な説明】
【技術分野】
【０００１】本考案は釣り具のルアーであるクランクベイト型及びミノー型等に使用されるリップと呼ばれる板状の水流受けを有するルアーに対し、ルアーの動きの源になるリップの形状を見直しし、上記ルアーの扱いづらさと煩わしさを改善する物である。
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】従来のクランクベイト型及びミノー型などのルアーは、リップと呼ばれる水受部分で水流を受け、その圧力を反復運動の源にしていた。リップの表面積は大きくなればより多くの水流を受けとめ、ルアーの反復運動を大きくし動き出しもより機敏になる傾向にあるが、ルアーの飛距離に関しては空気抵抗の面でマイナスでありルアーの存在感ではアピール力が強すぎるために魚へのプレッシャーとなる場合もあった。本考案は上記ルアーのリップを改善し面積を増やすことなく、小型のリップで良好なルアー動作と良好な使用感を両立させる物である。
【課題を解決するための手段】
【０００６】リップを二枚構造にして重ね合わせ、進行方向に対して側面の重ね合わせた部分に水流を留める溝を設ける。
【考案の効果】
【０００７】リップの側面に水流を留める溝を設けた事により、リップの側面より発生して裏側に流れていた負圧の渦を従来型より長時間活用できるようになった。この事によりリップの正面で受ける水圧と側面で発生した負圧の渦の相乗効果により、小面積でルアーの反復運動が可能になった。
【図面の簡単な説明】
【０００８】
【図１】側面図
【図２】正面図
【図３】断面図  ＢのＥ部分の断面図  Ｆの方向から目視
【考案を実施するための形態】
【０００９】水流を反復運動の源に利用するルアーのリップ側面に水流を留める溝を設置する。
【実施例】
【００１０】図１参照
【産業上の利用可能性】
【００１１】
【符号の説明】
【００１２】Ａ  ルアー本体Ｂ  リップＣ  ライン結束孔Ｄ  フック連結孔Ｅ  図３切断部分Ｆ  断面図目視方向Ｇ  義眼Ｈ  考案部分
【図１】
0003200634.tif 000003
【図２】
0003200634.tif 000004
【図３】
0003200634.tif 000005
(57)【要約】      （修正有）【課題】窓に対して簡単に着脱できる日除けネットを提供する。【解決手段】日除けネット本体２に内側の強貼着面３ａを貼り付け、外側を再剥離貼着面３ｂを有してなるテープ３を設けてなる。【選択図】図１
0003200637.tif 000002
【実用新案登録請求の範囲】
【請求項１】
日除けネット本体に内側の強貼着面を貼り付け、外側を再剥離貼着面を有してなるテープを設けてなることを特徴とする日除けネット。
【請求項２】
少なくとも、日除けネットの四隅にテープを設けてなることを特徴とする請求項１記載の日除けネット。
【考案の詳細な説明】
【技術分野】
【０００１】  本考案は、窓ガラスに着脱自在に取り付けられ窓ガラスを汚さない日除けネットに関するものである。
【背景技術】
【０００２】  ＤＩＹされる方は、日除けシートと両面テープを購入し、窓の大きさにカットし、四隅等に両面テープを貼り付けた後、窓に貼り付ける。
ただ、取り外し時においては、両面テープが窓ガラスに貼りついてしまい取れないこともあり、美的でない。【０００３】  また、特許出願においては、建物のガラス戸やガラス窓などの開口部の外側に張装されると共に、紫外線カット機能およびストレッチ機能を有する織編物を素材とする日除けシートと、該日除けシートの両側縁を着脱自在に取付固定すると共に、上記開口部の外側の床スラブと天井（庇）スラブとの間に固定される支持材と、該支持材の上部に左右端部が固定されると共に、上記日除けシートの上端縁を取付け固定する横架材から構成されることを特徴とする外付けシェードがある。（特許文献１参照）【０００４】  さらに、別の特許出願においてはスチールパイプ枠とネット又は布を組み合わせ、ネット又は布をマジックテープ（登録商標）で枠に固定した日除け、目隠し、防風枠ネットがある。（特許文献２参照）
【先行技術文献】
【特許文献】
【０００５】
【特許文献１】特開２０１３−２３８０１２号公報
【特許文献２】特開２００５−１９４７１４号公報
【考案の概要】
【考案が解決しようとする課題】
【０００６】  前者特許のものは、支持材で固定されるもので、邪魔になり、取り付け場所も限られるものである。【０００７】  また、後者特許のものは、ネット又は布をマジックテープ（登録商標）で枠に固定するもので、やはり、場所が限定され、邪魔になる。【０００８】  本考案は、上記問題点に鑑みなされたもので、テープが内側が強貼着面で、外側が再剥離貼着面で構成することにより、窓に対して簡単に着脱できる日除けネットを提供することを目的とする。
【課題を解決するための手段】
【０００９】  本考案は、上記目的を達成するため、日除けネット本体に内側の強貼着面を貼り付け、外側を再剥離貼着面を有してなるテープを設けてなること。また、少なくとも、日除けネットの四隅にテープを設けてなることを特徴とする。
【考案の効果】
【００１０】１）テープが、内側を強貼着面とし、外側を再剥離貼着面とすることで、窓ガラスに貼り    付けて使用した後において、必要がなくなった時、簡単にはがすことができ、かつ、    窓ガラス面を汚すことがない。
【図面の簡単な説明】
【００１１】
【図１】  本考案の一実施例を示す日除けネットの要部側面図。
【図２】  本考案の一実施例を示す日除けネットのテープの側面図。
【図３】  本考案の一実施例を示す日除けネットのテープの正面図。
【図４】  本考案の一実施例を示す日除けネットの使用状態図。
【考案を実施するための形態】
【００１２】  日除けネット１は、表面をシルバーコーティングしてなる塩化ビニール製のメッシュ状の日除けネット本体２の少なくとも四隅に、内側の強貼着面３ａを貼り付け、外側を再剥離貼着面３ｂを有してなるテープ３を設けてなり、
必要に応じて剥離紙３ｃ・３ｄを設ける。
なお、テープ３は、シート状に形成してもよく、ロール状に形成してもよく、必要な大きさにカットして使用するものである。
【００１３】  日除けネット１の使用例について説明する。
例えば、所要な大きさにカットしたテープ３を日除けネット本体の四隅を含む６箇所（この実施例の場合）に剥離紙３ｃを剥して強貼着面３ａを貼り付ける。
その後、窓ガラスＭＧの所要位置に剥離紙３ｄを剥し、再剥離貼着面３ｂを貼り付ける。
【００１４】  なお、商品形態としては、日除けネット本体に予めテープを貼り付けたものでもよく、テープ３を別体とし、必要時に貼り付けて使用してもよい。
また、メッシュの間隔も限定するものではなく、数ｍｍ単位で決めればよい。
【産業上の利用の可能性】
【００１５】  日除けとして使用できるのはもちろんのこと、網にテープを貼り付ければ網戸の枠に取り付ければ網戸として使用でき、用途は色々考えられるものである。
【符号の説明】
【００１６】１―――日除けネット
２―――日除けネット本体
３―――テープ
ＭＧ――窓ガラス
【図１】
0003200637.tif 000003
【図２】
0003200637.tif 000004
【図３】
0003200637.tif 000005
【図４】
0003200637.tif 000006
(57)【要約】      （修正有）【課題】プロペラ型ファンの全体構造を変えることなく出力の増大を可能とする液体内駆動プロペラ型ファンを提供する。【解決手段】ファンの羽根２の部位に多数個の凹凸部１を形成する。凹凸部は、駆動体の進行方向に対して凹部が形成されているのが望ましい。【選択図】図１
0003200632.tif 000002
【実用新案登録請求の範囲】
【請求項１】
液体内で回転して駆動体に動力を与えるプロペラ型ファンであって、該ファンは、その羽根の面の部位に多数個の凹凸部を形成するものからなることを特徴とする液体内駆動プロペラ型ファン。
【請求項２】
前記凹凸部は、前記駆動体の進行方向に対して凹部を形成するものからなることを特徴とする請求項１に記載の液体内駆動プロペラ型ファン。
【考案の詳細な説明】
【技術分野】
【０００１】  本考案は、例えば、船体の駆動用として使用される液体内駆動プロペラ型ファンに関する。
【背景技術】
【０００２】  プロペラ型ファン１００Ａとしては、例えば図５に示す如きものが一般に使用されている。このものは図示のように羽根３Ａの面は平滑のものであり、凹凸部を形成するものは従来技術としては見当らない。
【考案の概要】
【考案が解決しようとする課題】
【０００３】  市場において平板の表面に凹凸部を形成するものは多く存在する。しかしながら、この凹凸部は平板の強度を増大させる目的のものやこの平板に不要物（例えば、宣伝用のビラ等）を貼着することが出来ないようにすることを目的とするものである。【０００４】  また、ゴルフのボールにはその外面に凹部を形成するものがあるがこの凹部はボールの方向性の安定化を図るためのものであり、飛ぶ距離を増大させるためのものではない。【０００５】  例えば、プロペラ型ファンの羽根の面に凹凸部を形成するものがあるとすれば、常識として抵抗力を増大することを目的としたり、また、強度アップの効果を期待するものと考えられこれ等の効果を目的とするものは少なく、従来では凹凸部を形成するファンは採用されていない。
しかしながら、本考案の考案者の実験によるとこの凹凸部の形成により同一回転における動力が低減することが実証され、理論的分析においてもその効果があることが解り、羽根の面に凹凸部を有するプロペラ型ファンにより駆動体（船舶等）の動力が向上する効果があることが解り本考案はそれを目的として創案されたものである。
【課題を解決するための手段】
【０００６】  本考案は、以上の目的を達成するために考案されたものであり、請求項１の考案は、液体内で回転して駆動体に動力を与えるプロペラ型ファンであって、該ファンは、その羽根の面の部位に多数個の凹凸部を形成するものからなることを特徴とする。【０００７】  また、請求項２の考案は、前記凹凸部は、前記駆動体の進行方向に対して凹部を形成するものからなることを特徴とする。
【考案の効果】
【０００８】  請求項１の液体内駆動プロペラ型ファンによれば、駆動力の増大を図ることが出来、逆に駆動力を一定とするならば小型化が出来る効果を上げることが出来る。【０００９】  また、請求項２の液体内駆動プロペラ型ファンによれば、凹凸部の凹部を駆動体の進行方向に形成することにより、駆動力増大の効果を確実に上げることが実証される。
【図面の簡単な説明】
【００１０】
【図１】本考案のプロペラ型ファンの羽根の形状の一例を示す平面図。
【図２】本考案のプロペラ型ファンの斜視図。
【図３】本考案のプロペラ型ファンの羽根に形成される凹凸部を示す部分断面図。
【図４】本考案のプロペラ型ファンの出力テストの概要構造を示す模式図。
【図５】従来一般に使用されているプロペラ型ファンの構造を示す斜視図。
【考案を実施するための形態】
【００１１】  以下、本考案の液体内駆動プロペラ型ファンの実施の形態を図面を参照して詳述する。
図１及び図２に示すように、液体内駆動プロペラ型ファン１００は４枚の羽根２からなり（勿論４枚に限定するものではない）、羽根２は図略の駆動モータに連絡する回転軸３にその基端部を固定されて半径方向に伸延して形成されている。
【００１２】  各羽根３には図１及び図２に示すように、多数個の凹凸部１が形成される。この凹凸部１は図３に示すように液体の流れ方向、即ち、駆動体（船舶等）の移動方向（進行方向）に凹部を形成するものからなるがこれに限定するものではない。
この凹凸部１の断面形状としては半円弧状のものからなるがこれに限定するものではない。また、その形状や数は図示のものに限定するものではなく、１つの羽根２における各凹凸部１の形状は同一のものに限定するものではない。
【００１３】  図４は本考案の液体内駆動プロペラ型ファン１００の性能を調べるための模式的構成図である。液体内駆動プロペラ型ファン１００は図示のように液体５を収納する液体収納箱６内に配置され、回転軸３は液体収納箱６の外に配置される駆動モータ４に連結される。この駆動モータ４にはその出力を測定するための出力検出部７が連結されている。この装置により各回転数毎に従来のこの構造体によるプロペラ型ファン１００Ａと本考案の液体内駆動プロペラ型ファン１００との出力を測定した。その測定結果はここでは詳述しないが液体内駆動プロペラ型ファン１００が使用される。例えば、１０００ｖμｍでは約３〜５％の出力低減が測定される。この原因としては凹凸部１における渦巻流の発生によるものと推察されるがその理論構造については省略する。
【００１４】  以上のように本考案の液体内駆動プロペラ型ファン１００は従来のものに較べて３〜５％程度の出力増大効果があるため、仮りに出力を同一のものとすればその分だけ小型化が可能になり、コストダウン効果を上げることが出来る。
【００１５】  本考案は、以上の内容のものからなるが、本考案は以上の内容に限定するものではなく、同一技術的範疇のものが適用されることは勿論である。
【産業上の利用可能性】
【００１６】  本考案の液体内駆動プロペラ型ファン１００として以上の説明の形状によるものに限らず羽根を有するファンに適用可能であり、その利用範囲は極めて広い。
【符号の説明】
【００１７】  １  凹凸部
２  羽根
３  回転軸
４  駆動モータ
５  液体
６  液体収納箱
７  出力検出部
【図１】
0003200632.tif 000003
【図２】
0003200632.tif 000004
【図３】
0003200632.tif 000005
【図４】
0003200632.tif 000006
【図５】
0003200632.tif 000007
(57)【要約】      （修正有）【課題】乳幼児に人気のある不規則なゴツゴツ・キラキラした素材を使用した乳幼児用ボール遊具を提供する。【解決手段】スチレン板材を加熱状態で、ランダムな凹凸を施した球状の金型に入れてから、中に空気を注入し型に沿って膨らませることによって、本体を球状かつ外面及び内面にランダムな凹凸２を持つ形に成型した後、成型工程上生じる不要な突起部分を削って、半透明の中空球状体１とする。【選択図】図１
0003200678.tif 000002
【実用新案登録請求の範囲】
【請求項１】
透明なプラスチック製の中空なボール状の球状体であって、その外周及び内周にはランダムに凹凸を形成するようにしたことを特徴とする乳幼児用ボール遊具。
【考案の詳細な説明】
【技術分野】
【０００１】
本願考案は、乳幼児用ボール型玩具に関するものである。
【背景技術】
【０００２】
乳幼児用ボール型玩具としては、柔らかで安全であり、且つ床面上等で好ましく転動するようにして使用上の面白みを備えた布ボール（特許文献１）、幼児の掴む筋力や手腕で投球する筋力の度合に応じて筋力トレーニングができるボール状訓練遊具（特許文献２）等が提案されている。
【先行技術文献】
【特許文献】
【０００３】
【特許文献１】実用新案登録第３１６２９３２号
【特許文献２】特開2009−118951
【考案の概要】
【考案が解決しようとする課題】
【０００４】
これに対して、本願考案者らはさまざまな素材を用意し、乳幼児がどのような素材に興味関心を示すか、触覚に関する調査を実施した結果、不規則なゴツゴツ・キラキラした素材が乳幼児から非常に強く興味関心を示されることを発見した。
【課題を解決するための手段】
【０００５】
そこで、本願考案は、透明なプラスチック製の中空な球状体であって、その外周及び内周にはランダムに凹凸を形成するようにしたことを特徴とする乳幼児用ボール遊具を提案するものである。
【０００６】
本願考案に係わる半透明なプラスチック製中空な球状体は、例えばスチレンのような熱可塑性樹脂板材を加熱状態で、ランダムな凹凸を施した球状の金型に入れてから、中に空気を注入し型に沿って膨らませることによって、本体を球状かつ外面及び内面にランダムな凹凸を持つ形に成型した後、成型工程上生じる不要な突起部分を削って、得られる。
【０００７】
この様にして得られた本願考案に係わる中空な球状体は、外周面がランダムに凹凸しているところから、乳幼児等が把持した場合、ゴツゴツした感触を与える。
【０００８】
また、本願考案に係わる中空な球状体は、半透明で且つその外周及び内周はランダムに凹凸しているところから、光は外周面乃至内周面で乱反射し、表面上キラキラした外観を呈し、乳幼児が興味を示す。
【０００９】
なお、プラスチック中に着色剤を混入し、中空の球状体を彩度の高い色には着色すれば、より鮮やかにキラキラした外観を呈するところから、乳幼児に認識をされやすくなり、その興味を更にかき立てる。
【００１０】
したがって、これら表面がゴツゴツ且つキラキラした中空な球状体には、乳幼児は非常に興味を示し、把持したり、積み重ねたり、或いは転がしたり、複数の球状体を接触させたり、またその際に鳴る接触音を聞いたりして遊ぶことになる。
【００１１】
しかも、本願考案に係わる中空な球状体は、表面がゴツゴツしているところから、遠くには転がらず、乳幼児がハイハイ等で手の届くところで停止するので、乳幼児用遊具として最適である。
【考案の効果】
【００１２】
これらから明らかなように、本願考案に係わる中空な球状体は、表面上ゴツゴツ・キラキラしており、触覚と視覚からの強い刺激で、乳幼児の脳の発達を促すことができ、乳幼児の遊具として最適なものである。
【図面の簡単な説明】
【００１３】
【図１】本願考案に係わるボール遊具の一例を示す斜視図
【図２】同上の縦断側面図
【図３】本願考案に係わるボール遊具のキラキラ状態を示す説明図
【考案を実施するための形態】
【００１４】
例えば、スチレン製板材を加熱状態で、ランダムな凹凸を施した球状の金型に入れてから、中に空気を注入し型に沿って膨らませることによって、本体を球状かつ外面及び内面にランダムな凹凸を持つ形に成型した後、成型工程上生じる不要な突起部分を削って、得られる半透明な中空球状体であって、その外周及び内周にはランダムに凹凸を形成するようにした乳幼児用ボール遊具。
【実施例１】
【００１５】
以下、本願考案を図示の実施例に基づいて説明すると、１は本願考案に係わる直径６ｃｍ程度の中空な球状体で、中空な球状体１は例えばスチレン板材を加熱状態で、ランダムな凹凸を施した球状の金型に入れてから、中に空気を注入し型に沿って膨らませることによって、本体を球状かつ外面及び内面にランダムな凹凸を持つ形に成型した後、成型工程上生じる不要な突起部分を削って、得られる。
【００１６】
この様にして得られた中空な球状体１は、外周面にランダムに凹凸面２を有し、乳幼児等が把持した場合、ゴツゴツした感触を与える。
【００１７】
また、中空な球状体１は、透明で且つその外周面にはランダムな凹凸面２を有し、且つ中空部３の内周面には凹凸面２に対応してランダムに凹凸面４を有しており、したがって光は外周面乃至内周面で乱反射し、表面上キラキラした外観を呈したものとなる。
【００１８】
このように、表面がゴツゴツ且つキラキラした中空な球状体１には、乳幼児は非常に興味を示し、把持し、或いは転がして遊んだりする。
【００１９】
しかも、中空な球状体１は、表面がゴツゴツしているところから、遠くには転がらず、乳幼児がハイハイ等で手の届くところで停止するので、乳幼児用遊具として最適である。
【産業上の利用可能性】
【００２０】
以上要するに、本願考案に係わる中空な球状体は、表面上ゴツゴツ・キラキラしており、触覚と視覚からの強い刺激で、乳幼児の脳の発達を促すことができ、乳幼児の遊具として最適なものである。
【符号の説明】
【００２１】
１    中空な球状体
２    外周面に形成された凹凸面
３    中空部
４    内周面に形成された凹凸面
【図１】
0003200678.tif 000003
【図２】
0003200678.tif 000004
【図３】
0003200678.tif 000005
(57)【要約】【課題】子供達の小さな達成感を積み上げることで、自己肯定感を育み、子どもたちの生きる力を伸ばすことができる室内向け低年齢児遊具を提供することを目的とする。【解決手段】底部が開放されると共に、内部に乳幼児が入り込める程度の空間部２を有する円錐台体であって、その頂部には空間部２に入り込んだ乳幼児が首を出せる開口部４とその側部には乳幼児が空間部２に入ったり、或いは出たりできるような２以上の出入り口５が設けられた乳幼児用遊具。【選択図】図１
0003200677.tif 000002
【実用新案登録請求の範囲】
【請求項１】
内部に空間部を有し、その底部を開放した円錐台体であって、その頂部に開口部を設け、その側部に２以上の出入り口を設けたことを特徴とする乳幼児用遊具。
【考案の詳細な説明】
【技術分野】
【０００１】
本願考案は、乳幼児用遊具に関するものである。
【背景技術】
【０００２】
こどもたちが隠れたり、空想したり、遊んだりする小さな空間作りのために、内部に空間を形成し、その周面に入口と覗き孔、頂部に首だし開口を形成した円錐台形状の遊具が市販されている（非特許文献１）。
【０００３】
また、ハウス形状の一方に他方に出口を設けたハイハイ訓練遊具が市販されている）
【先行技術文献】
【非特許文献】
【０００４】
【非特許文献１】ジャクエツ製品カタログ  「ソフピット」
【非特許文献２】マスセット製品カタログ  「ハイハイEVAハウス」
【考案の概要】
【考案が解決しようとする課題】
【０００５】
これに対して、本願は幼児がもつ本能的な遊びの要素、穴を覗く、くぐって中に入る、穴から首を出して外界を見回す、穴の中で友達とやり取りするなどの遊びを繰り返し展開する、さらに穴から物を出し入れするなどの日常の何気ない遊びの中でみられる動きに注目し、どんな子どもでも得意なことを見つけられるようにデザインしており、心と体が大きく発達する乳幼児期に、子供達の小さな達成感を積み上げることで、自己肯定感を育み、子どもたちの生きる力を伸ばすことができる。
【０００６】
これらの理念を下に本願考案は室内向け乳幼児用遊具を提供することを目的とする。
【課題を解決するための手段】
【０００７】
そこで、本願考案はその底部を開放するとともに、内部に乳幼児が入り込める空間部を有する円錐台体であって、その頂部に開口部を設け、その側部に２以上の出入り口を設けたことを特徴とする乳幼児用遊具を提案するものである。
【０００８】
円錐台体は、透明でも、着色されたものでもよく、また乳幼児の安全性を考慮して内部に空気を注入して膨張させた弾性体或いは弾性材質で構成することが好ましい。
【０００９】
円錐台体内の空間部は乳幼児が入り込める程度の広さを有し、円錐台体の頂部に形成される開口部は空間部に入り込んだ乳幼児が首を出せる程度の広さのものである。
【００１０】
円錐台体の側部に設けられる２以上の出入り口は乳幼児が出入りできる程度の広さのものであって、その形状は一種類に限らず、丸、三角、四角など多種の形状にしても良く、大きさや形状、設置高さの異なった開口部とすることで、出入りの難易度の差を作り出すことができる。
【００１１】
本願考案に係わる遊具は、乳幼児が大きさや形状、設置高さの異なる複数の出入り口から空間部に入ったり、出たり、或いは頂部の開口部より首を出したりして遊ぶ乳幼児用遊具であるが、大きさや形状、設置高さが異なり出入りの難易度の差がある複数の出入り口から入口を捜して空間部に入ったり、また出口を捜して空間部より出たりすることにより乳幼児が自ら考えたり多様な動きをする経験を促し、乳幼児の達成感を育てることができる。
【考案の効果】
【００１２】
以上要するに、本願考案によれば、円錐台体の側部にある大きさや形状、設置高さが異なり出入りの難易度の差がある複数個の出入り口より空間部内に入り、頂部の開口部より首を出したり、更に複数ある出入り口から出口を捜してこれより出ることにより乳幼児が自ら考えたり多様な動きをする経験を促し、乳幼児の達成感を育てることができ、乳幼児の自己肯定感を育み、子どもたちの生きる力を伸ばすことができる。
【図面の簡単な説明】
【００１３】
【図１】本願考案に係わる遊具の一例を斜視図
【図２】同上の上面図（ａ）、正面図（ｂ）
【図３】図２のIII-III線断面図
【考案を実施するための形態】
【００１４】
底部が開放されると共に、内部に乳幼児が入り込める程度の空間部２を有する円錐台体であって、その頂部には空間部２に入り込んだ乳幼児が首を出せる開口部４とその側部には乳幼児が空間部２に入ったり、或いは出たりできるような２以上の出入り口５が設けられた乳幼児用遊具。
【実施例１】
【００１５】
以下、本願考案を図示の実施例について説明する。１は底部が開放されると共に、内部に乳幼児が入り込める程度の空間部２を有する円錐台体であって、この実施例では円錐台体１は注入口３より空気を注入した膨張弾性体で構成される。
【００１６】
円錐台体１内の空間部２は乳幼児が入り込める程度の広さを有し、その頂部には空間部２に入り込だ乳幼児が首を出せる程度の広さの開口部４が形成される。
【００１７】
なお、この実施例では円錐台体１の外周面と空間部２の内周面は補強上、縦方向に沿って波形構造にしてある。
【００１８】
円錐台体１の側部には、乳幼児が空間部２に入ったり、或いは出たりできるような２以上の出入り口５が設けられており、２以上の出入り口は乳幼児の興趣を高め、出入りの難易度の差をつくるために、例えば丸、三角、四角等の異なる形状にしたり、開口部の大きさに差をつけたり、設置高さに差をつけたりしてもよい。
【００１９】
本願考案に係わる遊具は、乳幼児が複数ある出入り口５から空間部２に入ったり、出たり、或いは頂部の開口部４より首を出したりして遊ぶ乳幼児用遊具であるが、複数ある出入り口５から入口を捜して空間部２に入ったり、また出口を捜して空間部２より出たりすることにより乳幼児の達成感を育てることができる。
【産業上の利用可能性】
【００２０】
本願考案は、子供達の小さな達成感を積み上げることで、自己肯定感を育み、子どもたちの生きる力を伸ばすことができる室内向け低年齢児遊具を提供することができる。
【符号の説明】
【００２１】
１  円錐台体  
２  空間部
３  空気注入口
４  頂部の開口部
５  側部の出入り口
【図１】
0003200677.tif 000003
【図２】
0003200677.tif 000004
【図３】
0003200677.tif 000005
(57)【要約】      （修正有）【課題】子供達の小さな達成感を積み上げることで、自己肯定感を育み、子どもたちの生きる力を伸ばすことができるような室内向け低年齢児遊具を提供する。【解決手段】内部に空気を注入して形成される膨張弾性体で構成された頂部２より左右に緩やかな傾斜面３を形成した山型体であり、傾斜面には複数の突起部５が形成されている。【選択図】図１
0003200674.tif 000002
【実用新案登録請求の範囲】
【請求項１】
頂部より左右に緩やかな傾斜面を形成した山型体であり、その傾斜面には複数の突起部を形成したことを特徴とする乳幼児用遊具。
【考案の詳細な説明】
【技術分野】
【０００１】
本願考案は、乳幼児用遊具に関するものである。
【背景技術】
【０００２】
山型のゆるい傾斜面に階段を設けた乳幼児の歩行訓練遊具が「プレイロックミニ」、「のぼりおり階段」、「セフティー乳児アスレチック」等の名称で市販されている（非特許文献１〜３）。
【０００３】
また、山型のゆるい傾斜面を利用した乳幼児の匍匐訓練遊具が「ハイハイおやま・３つ折り」、「はいはいマウンテン」等の名称で市販されている（非特許文献４、５）
【先行技術文献】
【非特許文献】
【０００４】
【非特許文献１】オリジナル製品カタログ  「プレイロックミニ」
【非特許文献２】学研製品カタログ  「のぼりおり階段」
【非特許文献３】メイト製品カタログ「セフティー乳児アスレチック」
【非特許文献４】マスセット製品カタログ  「ハイハイおやま・３つ折り」
【非特許文献５】メイト製品カタログ 「はいはいマウンテン」
【考案の概要】
【考案が解決しようとする課題】
【０００５】
これに対して、本願は幼児が持つ本能的な遊びの要素、起伏のある場所を四つ這いや立って登り下りする、お尻をついてすべりおりるなどの日常の何気ない遊びの中でみられる動きに注目し、どんな子どもでも得意なことを見つけられるようにデザインしており、また、本体を逆さにしてゆらゆら揺らしたり、不安定な状況をつくりあげたりすることで挑戦する気持ちを育むことができることから、心と体が大きく発達する乳幼児期に、子供達の小さな達成感を積み上げることで、自己肯定感を育み、子どもたちの生きる力を伸ばすことができる。
【０００６】
これらの理念を下に本願考案は室内向け低年齢児遊具を提供することを目的とする。
【課題を解決するための手段】
【０００７】
そこで、本願考案は頂部より左右に緩やかな傾斜面を形成した山型体であり、その傾斜面には複数の突起部を形成したことを特徴とする乳幼児用遊具を提案するものである。
【０００８】
山型体は、乳幼児の安全性を考慮して弾性部材或いは内部に空気を注入して形成される膨張弾性体で構成される。
【０００９】
また、山型体に形成される傾斜面は乳幼児が登り下りできる程度の角度のものとする。
【００１０】
更に、突起部は乳幼児の興味を引き、登り下りするにも便利なように傾斜面に複数配置される。
【００１１】
本願考案に係わる遊具によれば、乳幼児が緩やかな傾斜面を登ったり、下りたりすることができ、突起部に足を掛け、或いは把持することで登り下りを補助することもでき、これにより子供達は小さな達成感が得られる。
【考案の効果】
【００１２】
以上要するに、本願考案によれば乳幼児が緩やかな傾斜面を登ったり、下りたりすることができ、突起部に足を掛け、或いは把持することで登り下りを補助することもでき、これにより子供達は小さな達成感が得られ、これにより自己肯定感を育むができる。
【図面の簡単な説明】
【００１３】
【図１】本願考案における遊具の一例を示す斜視図
【図２】同上の上面図（ａ）、側面図（ｂ）、正面図（ｃ）
【図３】同上の遊び方の一例を示す図
【考案を実施するための形態】
【００１４】
内部に空気を注入して形成される膨張弾性体で構成された頂部より左右に緩やかな傾斜面を形成した山型体であり、その傾斜面には複数の突起部を形成したことを特徴とする乳幼児用遊具。
【実施例１】
【００１５】
以下、本願考案を図示の実施例に説明する。１は幅方向の頂部２より左右に緩やかな傾斜面３，３を形成した山型体である。
【００１６】
山型体１は、この実施例では注入口４より内部に空気を注入して形成される膨張弾性体で構成される。
【００１７】
なお、この実施例では傾斜面３，３は強度を高めるために、傾斜方向に沿った波形構造にしてある。
【００１８】
また、傾斜面３，３には乳幼児の興味を引き、登り下りの補助にも使えるように突起部５が複数配置される。
【００１９】
以上のような遊具は、乳幼児が緩やかな傾斜面３，３を登ったり、下りたりすることができ、突起部４に足を掛け、或いは把持することで登り下りを補助することもでき、これにより子供達は小さな達成感が得られる。
【００２０】
なお、山型体１を逆さにすれば、頂部２を支点としてシーソー遊びにも利用できる。
【産業上の利用可能性】
【００２１】
以上要するに、本願考案によれば乳幼児の小さな達成感により自己肯定感を育むことができるような乳幼児用遊具を提供できる。
【符号の説明】
【００２２】
１    山型体
２  頂部
３，３  緩やかな傾斜面
４  突起部
【図１】
0003200674.tif 000003
【図２】
0003200674.tif 000004
【図３】
0003200674.tif 000005
(57)【要約】      （修正有）【課題】睡眠を促進する音を発し、就寝時枕もとに置き睡眠を得るための導入として用いる安眠用電動器具を提供する。【解決手段】円筒形型状の発音体４に高さの異なる７−８本の鋼鉄線が円形の基盤の外周に垂直に挿入された鋼鉄線に発音体の上部からつるされた分胴が当たり、その衝撃音を発音体が共鳴して心地いい音を発することを特徴とする。【選択図】図１
0003200650.tif 000002
【実用新案登録請求の範囲】
【請求項１】
円筒形型状の発音体に高さの異なる７−８本の鋼鉄線が円形の基盤の外周に垂直に挿入された該鋼鉄船に発音体の上部からつるされた分胴が当たり、その衝撃音を該発音体が共鳴して心地いい音を発することを特徴とする安眠用電動器具。
【請求項２】
前記衝撃音を発するための分胴は電気駆動装置によるものであることを特徴とする請求項１記載の安眠用電動器具。
【考案の詳細な説明】
【技術分野】
【０００１】
本考案は安眠用電動器具に関するものである。
【背景技術】
【０００２】
前記発音体は心地良い音が出るので幼児や胎教に利用する器具として昔から一般に多く用いられ、該発音体に取っ手をつけて振る玩具として現在も発売されている。
【先行技術文献】
【特許文献】
【０００３】
【特許文献１】特開平９−３２２８４３号公報
【考案の概要】
【考案が解決しようとする課題】
【０００４】
本考案は就寝時、枕もとに置き睡眠を得るための導入として用いる安眠用電動器具である。
【課題を解決するための手段】
【０００５】
本考案タイマーが設置されてあり、夜中目を覚ましてもスイッチにより更なる安眠を促進する。
【考案の効果】
【０００６】
本考案は寝付きの悪い幼児ばかりでなく夜中に何回も目覚める年寄りにとっても利用でき、その都度音を聞きながら気持ちよく眠ることができ、朝さわやかに目覚めることができるという効果を奏する。
【図面の簡単な説明】
【０００７】
【図１】図１は安眠用電動器具の実施方法を示した説明図である。
【図２】図２は鋼鉄線の音源を示した説明図である。
【図３】図３は分胴の駆動部を示した説明図である。
【考案を実施するための形態】
【０００８】
上段に設置されたモーター１の軸芯２は中段の発音体４に貫通し緒で結ばれた分胴１０の上部につるされる。
【実施例】
【０００９】
安眠用電動器具は三層構造である。
上段には単３電池３１コとモーター１１コ、中段には発音体４下段はタイマー５とスイッチ６。
基盤の外周に林立された鋼鉄線７に当てる手段として前記軸芯がL字型８になるようにセットして分胴が中心から離れるようにした。
又分胴が自転しながら当たるように緒を木綿系９にし、且つ多角的に当てるために分胴を四角形にした。
【産業上の利用可能性】
【００１０】
本考案は安眠用電動器具を製造する産業で利用される。
【符号の説明】
【００１１】
１    モーター
２    軸芯
３    電池
４    発音体
５    タイマー
６    スイッチ
７    鋼鉄線
８    Ｌ字ジョイント
９    木綿糸
１０  分銅
【図１】
0003200650.tif 000003
【図２】
0003200650.tif 000004
【図３】
0003200650.tif 000005
(57)【要約】      （修正有）【課題】下地梁をエアーチューブでのトラス梁とすることで、鋼材などによる重く、大掛かりな梁から、容易に現場で施工できる軽量トラス梁を提供する。【解決手段】エアーチューブ本体１を導線ワイヤー２により、下地梁の計画位置及び、計画勾配角度に現場で吊下げ施工・設置する。コンプレッサーでの圧縮空気をエアーホース３を利用して、エアーチューブ本体１に空気を充填するものとし、これにより軽量なトラス梁が施工できる。【選択図】図３
0003200624.tif 000002
【実用新案登録請求の範囲】
【請求項１】
エアーチューブでトラスを構成し、強度を確保した軽量トラス梁である。
【考案の詳細な説明】
【技術分野】
【０００１】  本考案は、エアーチューブでトラスを構成し、強度を確保した、軽量トラス梁に関するものである。
【背景技術】
【０００２】  従来、養生シート等の梁下地は、スパンが大きくなると鋼材などを利用して組立、強度を確保していた。
【考案の概要】
【考案が解決しようとする課題】
【０００３】  従来の工法では、工期が掛かり、経費も多大になるなど施工が大変であった。
この問題を、効率良く、しかも安全に施工するために、考案したものである。
【課題を解決するための手段】
【０００４】  必要梁位置のスパンに見合ったトラス本体（１）の寸法を計画し、エアーチューブでトラス本体（１）を工場で製作する。排気切替バルブ（５）も工場で取付ける。
梁の設置位置に導線ワイヤー（２）を張り、トラス本体（１）をトラス吊バンド（４）で吊下げる。
現場で、バルブ（６）及びエアーホース（３）を取り付け、コンプレッサーの圧縮空気を利用して、トラス本体（１）に空気を充填する。
以上で、軽量トラス梁が現場で容易に施工できる。
【考案の効果】
【０００５】  梁の計画位置に、エアーチューブで構成した軽量トラス梁が、短期間に、経費も抑えられ容易にできる。
これは、養生や他の下地梁として利用できるのである。
【図面の簡単な説明】
【０００６】
【図１】  本考案のエアーチューブ軽量トラス梁の平面図である。
【図２】  本考案のエアーチューブ軽量トラス梁の立面図である。
【図３】  本考案の大スパンでの継手材を設けた斜視図である。
【図４】  本考案の小スパンでの軽量トラス梁の斜視図である。
【図５】  本考案のエアーチューブ軽量トラス梁の部分拡大斜視図である。
【考案を実施するための形態】
【０００７】  必要な梁位置のスパンに見合ったトラス本体（１）に排気切替バルブ（５）を取付け工場で製作する。現場に於いて下地梁の設置計画位置に導線ワイヤー（２）を張り、トラス本体（１）をトラス吊バンド（４）で吊下げる。
バルブ（６）及びエアーホース（３）を繋ぎコンプレッサーの圧縮空気を利用してトラス本体（１）に空気を充填する。以上で容易に軽量トラス梁の施工ができる。
【実施例】
【０００８】  スパンが大きい場合は、トラス本体（１）に、継手材（７）を設けることで連続した大スパンとして延ばすことができる。【０００９】  スパンが小さい場合は［図４］のようにトラス本体（１）の副柱（８）がない構成で充分対応できる。【００１０】  トラス本体（１）は、導線ワイヤー（２）の上下の取付け位置、角度を変えることで、自由な方向に設置できる。
【符号の説明】
【００１１】  １  トラス本体                  ５  排気切替バルブ
２  導線ワイヤー                ６  バルブ
３  エアーホース                ７  継手材
４  トラス吊バンド              ８  副柱
【図１】
0003200624.tif 000003
【図２】
0003200624.tif 000004
【図３】
0003200624.tif 000005
【図４】
0003200624.tif 000006
【図５】
0003200624.tif 000007